【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
端末装置との無線通信を中継する無線中継局を備える通信システムであって、
前記無線中継局は、自律制御又は外部から制御により高度が１００［ｋｍ］以下の浮揚空域に位置するように制御される複数の浮揚体のそれぞれに設けられ、
前記浮揚体が前記浮揚空域に位置するとき、前記無線中継局は、地面又は海面との間の所定のセル形成目標空域に３次元セルを形成し、
前記複数の無線中継局はそれぞれ、前記端末装置と無線通信するためのビームを地面又は海面に向けて形成し、
前記セル形成目標空域において互いに隣り合う複数のビームが部分的に重なり、前記複数の無線中継局のビームが前記セル形成目標空域の上端面の全体をカバーするように、前記複数の浮揚体の浮揚体間の距離、各浮揚体の高度、及び、各浮揚体の無線通信局を通る仮想鉛直線に対する前記ビームの外縁の角度の少なくとも一つを制御する制御手段を備えることを特徴とする通信システム。
【請求項２】
請求項１の通信システムにおいて、
前記複数のビームは円錐状に形成され、そのビームの発散角をθ［ｒａｄ］とし、前記浮揚体の無線中継局の高度をＨｒｓ［ｍ］とし、前記複数の無線中継局の水平方向の間隔をＤｒｓ［ｍ］とし、前記セル形成目標空域の上端の高度をＨｃｕ［ｍ］としたとき、次式（１）を満たすことを特徴とする通信システム。
【数１】
2018157522.tif 000001
【請求項３】
請求項２の通信システムにおいて、
前記セル形成目標空域の下端の高度をＨｃｌ［ｍ］とし、前記浮揚体の無線中継局と前記端末装置との間の無線信号の最大到達可能距離をＬｍａｘ［ｍ］としたとき、次式（２）を満たすことを特徴とする通信システム。
【数２】
2018157522.tif 000002
【請求項４】
請求項１の通信システムにおいて、
前記複数の浮揚体は第１浮揚体と第２浮揚体とを含み、
第１浮揚体の無線中継局のビームは円錐状に形成され、そのビームの発散角をθ１［ｒａｄ］とし、第２浮揚体の無線中継局のビームは円錐状に形成され、そのビームの発散角をθ２［ｒａｄ］とし、第１浮揚体の無線中継局及び第２浮揚体の無線中継局それぞれの高度をＨｒｓ１［ｍ］及びＨｒｓ２［ｍ］とし、第１浮揚体の無線中継局及び第２浮揚体の無線中継局の水平方向の間隔をＤｒｓ［ｍ］とし、前記セル形成目標空域の上端の高度をＨｃｕ［ｍ］としたとき、次式（３）を満たすことを特徴とする通信システム。
【数３】
2018157522.tif 000003
【請求項５】
請求項４の通信システムにおいて、
第１浮揚体の無線中継局及び第２浮揚体の無線中継局それぞれの高度をＨｒｓ１［ｍ］及びＨｒｓ２［ｍ］とし、前記セル形成目標空域の下端の高度をＨｃｌ［ｍ］とし、第１浮揚体及び第２浮揚体それぞれの無線中継局と前記端末装置との間の無線信号の最大到達可能距離をＬｍａｘ［ｍ］とし、次式（４）及び（５）を満たすことを特徴とする通信システム。
【数４】
2018157522.tif 000004
【数５】
2018157522.tif 000005
【請求項６】
請求項１乃至５のいずれかの通信システムにおいて、
端末装置と無線通信するためのビームを前記セル形成目標空域に向けて形成する地上又は海上の無線中継局を備えることを特徴とする通信システム。
【請求項７】
請求項６の通信システムにおいて、
前記地上又は海上の無線中継局は、前記セル形成目標空域のうち前記浮揚体側の無線中継局で形成されるビームが通過しない部分にビームを形成することを特徴とする通信システム。
【請求項８】
請求項１乃至７のいずれかの通信システムにおいて、
前記浮揚体の無線中継局と直接に又は人工衛星を介して無線通信する地上又は海上のフィーダ局を備えることを特徴とする通信システム。
【請求項９】
請求項１乃至８のいずれかの通信システムにおいて、
前記浮揚体及び前記無線中継局の少なくとも一方を遠隔的に制御する遠隔制御装置を備えることを特徴とする通信システム。
【請求項１０】
請求項９の通信システムにおいて、
前記遠隔制御装置は、前記浮揚体の浮揚移動又は前記無線中継局での処理を制御する制御情報を前記浮揚体に送信し、
前記浮揚体は、前記遠隔制御装置から前記制御情報を受信して当該浮揚体の浮揚移動又は当該浮揚体の無線中継局での処理を制御することを特徴とする通信システム。
【請求項１１】
請求項１乃至８のいずれかの通信システムにおいて、
前記浮揚体は、当該浮揚体の現在位置情報と、予め記憶した位置制御情報と、周辺に位置する他の浮揚体の位置情報とを取得し、それらの情報に基づいて、当該浮揚体の浮揚移動又は当該浮揚体の無線中継局での処理を自律制御することを特徴とする通信システム。
【請求項１２】
請求項１乃至１１のいずれかの通信システムにおいて、
前記無線中継局が設けられた浮揚体は、その浮揚体の下方に位置する地面の標高に基づいて、該地面に対する前記セル形成目標空域における３次元セルの高度が所定高度に維持されるように位置制御されることを特徴とする通信システム。
【請求項１３】
請求項１乃至１１のいずれかの通信システムにおいて、
地面に対する前記セル形成目標空域における３次元セルの相対的な高度が一定に維持されるように、前記浮揚体の下方の地形データに基づいて前記浮揚体の高度、並びに、前記浮揚体の無線中継局によって形成されるビームの方向及び広がり角度の少なくとも一つを調整する制御を行うことを特徴とする通信システム。
【請求項１４】
請求項１乃至１３のいずれかの通信システムにおいて、
前記浮揚体は、高度が１００［ｋｍ］以下の浮揚空域における水平方向の所定の範囲に滞在して前記端末装置との無線通信を中継することを特徴とする通信システム。
【請求項１５】
請求項１乃至１４のいずれかの通信システムにおいて、
前記セル形成目標空域の高度は１０［ｋｍ］以下であることを特徴とする通信システム。
【請求項１６】
請求項１乃至１５のいずれかの通信システムにおいて、
前記無線中継局を設けた浮揚体は、高度が１１［ｋｍ］以上及び５０［ｋｍ］以下の成層圏に位置することを特徴とする通信システム。
【請求項１７】
請求項１乃至１６のいずれかの通信システムにおいて、
前記浮揚体における前記無線中継局に電力を供給する電源部の給電力と、前記浮揚体を位置させて用いる浮揚空域の緯度とに基づいて、前記複数の浮揚体を切り替えて用いることを特徴とする通信システム。
【請求項１８】
請求項１７の通信システムにおいて、
前記複数の浮揚体は、
前記無線中継局に電力を供給する電源部を有する低緯度対応の浮揚体と、
前記低緯度対応の浮揚体よりも高い給電力で前記無線中継局に電力を供給可能な電源部を有する高緯度対応の浮揚体と、を含むことを特徴とする通信システム。
【請求項１９】
請求項１８の通信システムにおいて、
中緯度エリアでは、日照時間が異なる季節に応じて、前記低緯度対応の浮揚体と前記高緯度対応の浮揚体とを切り換えて用いることを特徴とする通信システム。
【請求項２０】
請求項１８又は１９の通信システムにおいて、
前記低緯度対応の浮揚体の電源部及び前記高緯度対応の浮揚体の電源部はそれぞれ、太陽光発電部とバッテリーとを備え、
前記高緯度対応の浮揚体の電源部の太陽光発電部及びバッテリーの少なくとも一方の給電力は、前記低緯度対応の浮揚体の電源部よりも高いことを特徴とする通信システム。
【請求項２１】
請求項１乃至２０のいずれかの通信システムにおいて、
前記浮揚体の電源部は、外部からエネルギービームを受けて電力を発生する遠隔エネルギービーム受電部を備え、
地上又は海上に設けられ、前記無線中継局を備えた浮揚体に前記エネルギービームを送信して給電する給電装置を備えることを特徴とする通信システム。
【請求項２２】
請求項１乃至２０のいずれかの通信システムにおいて、
前記浮揚体の電源部は、外部からエネルギービームを受けて電力を発生する遠隔エネルギービーム受電部を備え、
自律制御又は外部から制御により前記浮揚空域に位置するように制御され、前記無線中継局を備えた浮揚体に前記エネルギービームを送信して給電する給電用浮揚体を備えることを特徴とする通信システム。
【請求項２３】
請求項１乃至２２のいずれかの通信システムにおける前記浮揚体の浮揚移動及び前記無線中継局の少なくとも一方を遠隔的に制御する遠隔制御装置。
【請求項２４】
請求項２３の遠隔制御装置において、
前記浮揚体の浮揚移動又は前記無線中継局での処理を制御する制御情報を前記浮揚体に送信することを特徴とする遠隔制御装置。
【請求項２５】
請求項２３又は２４の遠隔制御装置において、
前記無線中継局が設けられた浮揚体を、その浮揚体の下方に位置する地面の標高に基づいて、該地面に対する前記セル形成目標空域における３次元セルの高度が所定高度に維持されるように位置制御することを特徴とする遠隔制御装置。
【請求項２６】
請求項２３乃至２５のいずれかの遠隔制御装置において、
地面に対する前記セル形成目標空域における３次元セルの相対的な高度が一定に維持されるように、前記浮揚体の下方の地形データに基づいて前記浮揚体の高度、並びに、前記浮揚体の無線中継局によって形成されるビームの方向及び広がり角度の少なくとも一つを調整する制御を行うことを特徴とする遠隔制御装置。
【請求項２７】
請求項２３乃至２６のいずれかの遠隔制御装置において、
前記複数の浮揚体は、
前記無線中継局に電力を供給する電源部を有する低緯度対応の浮揚体と、
前記低緯度対応の浮揚体よりも高い給電力で前記無線中継局に電力を供給可能な電源部を有する高緯度対応の浮揚体と、を含み、
中緯度エリアでは、日照時間が異なる季節に応じて、前記低緯度対応の浮揚体と前記高緯度対応の浮揚体とを切り換えるように制御することを特徴とする遠隔制御装置。
【請求項２８】
端末装置との無線通信を中継する無線中継局を有する浮揚体であって、
自律制御又は外部から制御により高度が１００［ｋｍ］以下の浮揚空域に位置するように制御され、
前記浮揚空域に位置するとき、前記無線中継局は、前記端末装置と無線通信するためのビームを地面又は海面に向けて形成し、地面又は海面との間の所定のセル形成目標空域に３次元セルを形成し、
当該浮揚体の無線中継局のビームが、前記セル形成目標空域において隣り合う他の浮揚体の無線中継局のビームと部分的に重なり、前記他の浮揚体の無線中継局のビームとともに当該浮揚体の無線中継局のビームが前記セル形成目標空域の上端面の全体をカバーするように、当該浮揚体と前記他の浮揚体との浮揚体間の距離、当該浮揚体の高度、及び、当該浮揚体の無線通信局を通る仮想鉛直線に対する前記ビームの外縁の角度の少なくとも一つを制御する制御手段を備えることを特徴とする浮揚体。
【請求項２９】
請求項２８の浮揚体において、
前記ビームは円錐状に形成され、そのビームの発散角をθ［ｒａｄ］とし、前記浮揚体の無線中継局の高度をＨｒｓ［ｍ］とし、当該浮揚体の無線中継局と前記他の浮揚体の無線中継局との間の水平方向の間隔をＤｒｓ［ｍ］とし、前記セル形成目標空域の上端の高度をＨｃｕ［ｍ］としたとき、次式（６）を満たすことを特徴とする浮揚体。
【数６】
2018157522.tif 000006
【請求項３０】
請求項２９の浮揚体において、
前記セル形成目標空域の下端の高度をＨｃｌ［ｍ］とし、前記浮揚体の無線中継局と前記端末装置との間の無線信号の最大到達可能距離をＬｍａｘ［ｍ］としたとき、次式（７）を満たすことを特徴とする浮揚体。
【数７】
2018157522.tif 000007
【請求項３１】
請求項２８乃至３０のいずれかの浮揚体において、
当該浮揚体の現在位置情報と、予め記憶した位置制御情報と、周辺に位置する他の浮揚体の位置情報とを取得し、それらの情報に基づいて、当該浮揚体の浮揚移動又は当該浮揚体の無線中継局での処理を自律制御することを特徴とする浮揚体。
【請求項３２】
請求項２８乃至３１のいずれかの浮揚体において、
当該浮揚体の下方に位置する地面の標高に基づいて、前記地面に対する前記セル形成目標空域における３次元セルの高度が所定高度に維持されるように位置制御されることを特徴とする浮揚体。
【請求項３３】
請求項２８乃至３２のいずれかの浮揚体において、
地面に対する前記セル形成目標空域における３次元セルの相対的な高度が一定に維持されるように、当該浮揚体の下方の地形データに基づいて当該浮揚体の高度、並びに、当該浮揚体の無線中継局によって形成されるビームの方向及び広がり角度の少なくとも一つを調整する制御を行うことを特徴とする浮揚体。
【請求項３４】
請求項２８乃至３３のいずれかの浮揚体において、
高度が１００［ｋｍ］以下の浮揚空域における水平方向の所定の範囲に滞在して前記端末装置との無線通信を中継することを特徴とする浮揚体。
【請求項３５】
請求項２８乃至３４のいずれかの浮揚体において、
前記セル形成目標空域の高度は１０［ｋｍ］以下であることを特徴とする浮揚体。
【請求項３６】
請求項２８乃至３５のいずれかの浮揚体において、
高度が１１［ｋｍ］以上及び５０［ｋｍ］以下の成層圏に位置することを特徴とする浮揚体。
【請求項３７】
請求項２８乃至３６のいずれかの浮揚体において、
前記無線中継局は、移動体通信網の基地局処理部及びリピーター部の少なくとも一つを備えることを特徴とする浮揚体。
【請求項３８】
請求項２８乃至３７のいずれかの浮揚体において、
前記無線中継局は、エッジコンピューティング部を有することを特徴とする浮揚体。
【請求項３９】
請求項３８の浮揚体において、
前記エッジコンピューティング部は、前記３次元セルに在圏する端末装置から受信したデータ信号に基づいて、そのデータ信号の送信先を判定し、その判定の結果に基づいて通信の中継先を切り換える処理を実行することを特徴とする浮揚体。
【請求項４０】
請求項３９の浮揚体において、
前記エッジコンピューティング部は、
前記データ信号の送信先が自身の３次元セルに在圏する端末装置の場合は、そのデータ信号を前記エッジコンピューティング部で折り返して自身の３次元セルに在圏する送信先の端末装置に送信し、
前記データ信号の送信先が自身の３次元セル以外の他のセルに在圏する端末装置の場合は、そのデータ信号をフィーダ局に送信し、移動通信網を介して送信先の他のセルに在圏する送信先の端末装置に送信することを特徴とする浮揚体。
【請求項４１】
請求項３８の浮揚体において、
前記エッジコンピューティング部は、前記３次元セルに在圏する複数の端末装置から受信した情報を分析し、その分析の結果を前記端末装置若しくはサーバに送信する処理を実行することを特徴とする浮揚体。
【請求項４２】
請求項２８乃至４１のいずれかの浮揚体において、
前記無線中継局に電力を供給するバッテリーを備えることを特徴とする浮揚体。
【請求項４３】
請求項２８乃至４２のいずれかの浮揚体において、
前記無線中継局に供給する電力を発電する太陽光発電装置を備えることを特徴とする浮揚体。
【請求項４４】
請求項２８乃至４３のいずれかの浮揚体において、
当該浮揚体は、前記無線中継局に供給する電力を発電する太陽光発電パネルが設けられた翼と前記翼に設けられた回転駆動可能なプロペラとを備えたソーラープレーン、又は、前記無線中継局に電力を供給するバッテリーを備えた飛行船であることを特徴とする浮揚体。
【請求項４５】
請求項４４の浮揚体において、
前記ソーラープレーンは、旋回飛行又は８の字飛行を行うことにより揚力で浮揚し、所定の高度で水平方向の所定の範囲に滞在するように飛行制御されることを特徴とする浮揚体。
【請求項４６】
請求項４４又は４５の通信システムにおいて、
前記ソーラープレーンは、バッテリーを備え、前記太陽光発電パネルの発電によって前記バッテリーの電力が余っている昼間に高い位置に上昇し、前記太陽光発電パネルで発電できない夜間に前記バッテリーから前記プロペラのモータへの給電を停止してグライダー飛行するように飛行制御されることを特徴とする浮揚体。
【請求項４７】
請求項２８乃至４６のいずれかの浮揚体において、
当該浮揚体の電源部は、外部からエネルギービームを受けて電力を発生する遠隔エネルギービーム受電部を備えることを特徴とする浮揚体。
【請求項４８】
請求項４７の浮揚体において、
前記エネルギービームは、マイクロ波ビーム又はレーザビームであることを特徴とする浮揚体。
【請求項４９】
請求項４７又は４８の浮揚体において、
前記遠隔エネルギービーム受電部は、前記エネルギービームを受けて直流電流に整流変換するレクテナ部と、前記レクテナ部から直流電流を出力する出力部と、を備えることを特徴とする浮揚体。
【請求項５０】
請求項４７乃至４９のいずれかの浮揚体において、
前記遠隔エネルギービーム受電部は、前記エネルギービームを受けるためのパイロット信号をアンテナを介してエネルギービーム送信元に送信する送信部と、前記パイロット信号の送信方向を制御するパイロット信号制御部と、を備えることを特徴とする浮揚体。
【請求項５１】
請求項２８乃至５０のいずれかの浮揚体において、
当該浮揚体の電源部は、
バッテリーと、
前記浮揚体を浮揚移動させるための駆動装置に電力を供給する動力系電源と、
前記無線中継局に電力を供給する通信系電源と、
前記バッテリーから前記動力系電源及び前記通信系電源それぞれに供給する電力を調整する電力供給調整部と、を有することを特徴とする浮揚体。
【請求項５２】
請求項５１の浮揚体において、
前記通信系電源が電力を必要とする場合には、前記動力系電源へ供給する電力の供給量を減らし、前記浮揚体の飛行モードを、位置エネルギーを利用したグライダーモードに移行するように制御することを特徴とする浮揚体。
【請求項５３】
請求項５１又は５２の浮揚体において、
前記電力供給調整部は、前記無線中継局で無線信号を中継する端末装置の数に基づいて、前記バッテリーから前記動力系電源及び前記通信系電源それぞれに供給する電力を調整することを特徴とする浮揚体。
【請求項５４】
請求項５３の浮揚体において、
当該浮揚体の無線中継局で無線信号を中継する端末装置の数が減少した場合は、前記通信系電源から前記動力系電源への電力の供給量を融通して当該浮揚体の高度を上げて位置エネルギーとして蓄えるように制御することを特徴とする浮揚体。
【請求項５５】
請求項２８乃至５４のいずれかの浮揚体を使用する方法であって、
自律制御又は外部からの制御により高度が１００［ｋｍ］以下の浮揚空域に前記浮揚体を位置させ、前記無線中継局により地面又は海面との間の所定のセル形成目標空域に３次元化セルを形成させることと、
前記無線中継局に電力を供給する電源部を有する低緯度対応の浮揚体を、低緯度エリアで用いることと、
前記低緯度対応の浮揚体よりも高い給電力で前記無線中継局に電力を供給可能な電源部を有する高緯度対応の浮揚体を、高緯度エリアで用いることと、
を含むことを特徴とする方法。
【請求項５６】
請求項５５の方法において、
前記低緯度対応の浮揚体と前記高緯度対応の浮揚体とを、中緯度エリアでは、日照時間が異なる季節に応じて切り換えて用いることを含むことを特徴とする方法。
【請求項５７】
端末装置との無線通信を中継する無線中継局を有する浮揚体を制御する方法であって、
高度が１００［ｋｍ］以下の浮揚空域に位置するように、前記浮揚体を制御ことと、
前記浮揚体が前記浮揚空域に位置するとき、前記端末装置と無線通信するためのビームを地面又は海面に向けて形成し、地面又は海面との間の所定のセル形成目標空域に３次元セルを形成するように、前記無線中継局を制御することと、
当該浮揚体の無線中継局のビームが、前記セル形成目標空域において隣り合う他の浮揚体の無線中継局のビームと部分的に重なり、前記他の浮揚体の無線中継局のビームとともに当該浮揚体の無線中継局のビームが前記セル形成目標空域の上端面の全体をカバーするように、当該浮揚体と前記他の浮揚体との浮揚体間の距離、当該浮揚体の高度、及び、当該浮揚体の無線通信局を通る仮想鉛直線に対する前記ビームの外縁の角度の少なくとも一つを制御することと、を含むことを特徴とする方法。
【手続補正２】
【補正対象書類名】明細書
【補正対象項目名】発明の名称
【補正方法】変更
【補正の内容】
【発明の名称】通信システム、遠隔制御装置、浮揚体、浮揚体を制御する方法及び浮揚体を使用する方法
【手続補正３】
【補正対象書類名】明細書
【補正対象項目名】０００５
【補正方法】変更
【補正の内容】
【０００５】
本発明の一態様に係る通信システムは、端末装置との無線通信を中継する無線中継局を備える通信システムであって、前記無線中継局は、自律制御又は外部からの制御により地面又は海面から１００［ｋｍ］以下の浮揚空域に位置するように制御される浮揚体に設けられ、前記浮揚体が前記浮揚空域に位置するとき、前記無線中継局は、地面又は海面との間の所定のセル形成目標空域に３次元セルを形成する。
前記通信システムにおいて、前記浮揚体に設けられた無線中継局を複数備え、前記複数の無線中継局はそれぞれ、前記端末装置と無線通信するためのビームを地面又は海面に向けて形成し、前記セル形成目標空域において互いに隣り合う複数のビームは部分的に重なっていてもよい。
また、通信システムにおいて、前記複数のビームは、前記セル形成目標空域の上端面の全体をカバーするように形成されていてもよい。
また、通信システムにおいて、前記複数のビームは円錐状に形成され、そのビームの発散角をθ［ｒａｄ］とし、前記浮揚体の無線中継局の高度をＨｒｓ［ｍ］とし、前記複数の無線中継局の水平方向の間隔をＤｒｓ［ｍ］とし、前記セル形成目標空域の上端の高度をＨｃｕ［ｍ］としたとき、次式（１）を満たすようにしてもよい。
【数１】
2018157522.tif 000008
また、前記通信システムにおいて、前記セル形成目標空域の下端の高度をＨｃｌ［ｍ］とし、前記浮揚体の無線中継局と前記端末装置との間の無線信号の最大到達可能距離をＬｍａｘ［ｍ］としたとき、次式（２）を満たすようにしてもよい。
【数２】
2018157522.tif 000009
また、前記通信システムにおいて、端末装置と無線通信するためのビームを前記セル形成目標空域に向けて形成する地上又は海上の無線中継局を備えてもよい。この地上又は海上の無線中継局は、前記セル形成目標空域のうち前記浮揚体側の無線中継局で形成されるビームが通過しない部分にビームを形成してもよい。
また、前記通信システムにおいて、前記浮揚体の無線中継局と直接に又は人工衛星を介して無線通信する地上又は海上のフィーダ局を備えてもよい。
また、前記通信システムにおいて、前記浮揚体及び前記無線中継局の少なくとも一方を遠隔的に制御する遠隔制御装置を備えてもよい。
また、前記通信システムにおいて、前記無線中継局が設けられた浮揚体は、その浮揚体の下方に位置する地面の標高に基づいて、該地面に対する前記セル形成目標空域における３次元セルの高度が所定高度に維持されるように位置制御されてもよい。
また、前記通信システムにおいて、前記浮揚体に設けられた無線中継局の位置、その無線中継局によって形成されるビームの方向及び広がり角度並びに制御する遠隔制御装置を備えてもよい。
また、前記通信システムにおいて、前記セル形成目標空域の高度は１０［ｋｍ］以下であってもよい。また、前記セル形成目標空域の高度は５０［ｍ］以上１［ｋｍ］以下であってもよい。
また、前記通信システムにおいて、前記無線中継局を設けた浮揚体は、高度が１１［ｋｍ］以上及び５０［ｋｍ］以下の成層圏に位置してもよい。
また、前記通信システムにおいて、前記無線中継局は、移動体通信網の基地局又はリピータであってもよい。
また、前記通信システムにおいて、前記無線中継局は、エッジコンピューティング部を有してもよい。
また、前記通信システムにおいて、前記浮揚体は、前記無線中継局に電力を供給するバッテリーを備えてもよく、前記無線中継局に供給する電力を発電する太陽光発電装置を備えてもよい。
また、前記通信システムにおいて、前記浮揚体は、前記無線中継局に供給する電力を発電する太陽光発電パネルが設けられた翼と前記翼に設けられた回転駆動可能なプロペラとを備えたソーラープレーン、又は、前記無線中継局に電力を供給するバッテリーを備えた飛行船であってもよい。
【手続補正４】
【補正対象書類名】明細書
【補正対象項目名】０００７
【補正方法】変更
【補正の内容】
【０００７】
【図１】本発明の一実施形態に係る３次元化ネットワークを実現する通信システムの全体構成の一例を示す概略構成図。
【図２】他の実施形態に係る３次元化ネットワークを実現する通信システムの全体構成の一例を示す概略構成図。
【図３】実施形態の３次元化ネットワークを実現するＨＡＰＳの位置と各ＨＡＰＳで形成するビームと３次元セルとの関係を示す説明図。
【図４】実施形態の通信システムに用いられるＨＡＰＳの一例を示す斜視図。
【図５】実施形態の通信システムに用いられるＨＡＰＳの他の例を示す側面図。
【図６】実施形態のＨＡＰＳの無線中継局の一構成例を示すブロック図。
【図７】実施形態のＨＡＰＳの無線中継局の他の構成例を示すブロック図。
【図８】実施形態のＨＡＰＳの無線中継局の更に他の構成例を示すブロック図。
【図９】季節に応じた通常ＨＡＰＳ及び高緯度対応ＨＡＰＳの選択利用の一例を示す説明図。
【図１０】実施形態の高緯度対応ＨＡＰＳに対する遠隔エネルギービーム給電の様子の一例を示す説明図。
【図１１】実施形態の高緯度対応ＨＡＰＳの遠隔エネルギービーム受電部の一構成例を示すブロック図。
【図１２】実施形態のソーラ給電及び遠隔エネルギービーム給電に対応可能な高緯度対応ＨＡＰＳにおける給電制御系の一構成例を示すブロック図。
【手続補正５】
【補正対象書類名】明細書
【補正対象項目名】０００９
【補正方法】変更
【補正の内容】
【０００９】
図１に示すように、通信システムは、複数の高高度プラットフォーム局（ＨＡＰＳ）１０，２０を備え、所定高度のセル形成目標空域４０に、図中ハッチング領域で示すような３次元セル（３次元エリア）４１，４２を形成する。ＨＡＰＳ１０，２０は、自律制御又は外部からの制御により地面又は海面から１００［ｋｍ］以下の高高度の浮揚空域（以下、単に「空域」ともいう。）５０に浮遊して位置するように制御される浮揚体（例えば、ソーラープレーン、飛行船）に無線中継局が搭載されたものである。
【手続補正６】
【補正対象書類名】明細書
【補正対象項目名】００１９
【補正方法】変更
【補正の内容】
【００１９】
図２は、他の実施形態に係る３次元化ネットワークを実現する通信システムの全体構成の一例を示す概略構成図である。図２の例では、３次元化ネットワークが形成される場所が、地面（ＧＬ）の起伏があって標高が変動している内陸部や山岳地帯の場合の例である。この場合、地面の標高にかかわらず、地面（ＧＬ）からのセル形成目標空域４０の相対的な高度が一定に維持されるように、下方に位置する地面の標高（地形データ）に基づいてＨＡＰＳ１０の高度が制御される。例えば、標高が低い平野部ではＨＡＰＳ１０の高度を２０［ｋｍ］に制御し、平地よりも３０００［ｍ］ほど標高が高い山岳地帯ではＨＡＰＳ１０の高度を２３［ｋｍ］に制御する。これにより、平野部及び山岳地帯のいずれにおいても、地面から高さが一定のほぼ同じサイズの３次元セル４１を形成することができ、セル形成目標空域４０の上端面におけるビーム１００のスポットの大きさも一定に維持することができる。また、ＨＡＰＳ１０は、ＨＡＰＳ１０の高度の制御に代えて又はその高度の制御に加えて、下方の地面の起伏に応じて、ほぼ同じサイズの３次元セル４１を形成するように、ビーム１００の発散角（ビーム幅）やビームの方向を微調整（トラッキング）してもよい。
【手続補正７】
【補正対象書類名】明細書
【補正対象項目名】００２４
【補正方法】変更
【補正の内容】
【００２４】
ここで、ＨＡＰＳ１０の高度Ｈｒｓ１及びＨＡＰＳ２０の高度Ｈｒｓ２が同一高度（Ｈｒｓ）であり、各ビームの発散角θ１、θ２が同一角度（θ）であると仮定すると、ＨＡＰＳ１０，２０のビーム１００，２００によってセル形成目標空域４０の上端面の全体をカバーするための条件式は、次式（６）のようになる。
【数６】
2018157522.tif 000010
【手続補正８】
【補正対象書類名】明細書
【補正対象項目名】００２８
【補正方法】変更
【補正の内容】
【００２８】
ここで、ＨＡＰＳ１０の高度Ｈｒｓ１及びＨＡＰＳ２０の高度Ｈｒｓ２が同一高度（Ｈｒｓ）であり、各ビームの発散角θ１、θ２が同一角度（θ）であると仮定すると、ＨＡＰＳ１０，２０それぞれとセル形成目標空域４０の下端に位置する端末装置とが互いに通信することができる条件式は、次式（９）のようになる。
【数９】
2018157522.tif 000011
【手続補正９】
【補正対象書類名】明細書
【補正対象項目名】００３１
【補正方法】変更
【補正の内容】
【００３１】
図４は、実施形態の通信システムに用いられるＨＡＰＳ１０の一例を示す斜視図である。図４のＨＡＰＳ１０はソーラープレーンタイプのＨＡＰＳである。上面に太陽光発電機能を有する太陽光発電部としてのソーラパネル１０２が設けられ長手方向の両端部側が上方に反った主翼部１０１と、主翼部１０１の短手方向の一端縁部にバス動力系の推進装置としての複数のモータ駆動のプロペラ１０３とを備える。主翼部１０１の下面の長手方向の２箇所には、板状の連結部１０４を介して、ミッション機器が収容される複数の機器収容部としてのポッド１０５が連結されている。各ポッド１０５の内部には、ミッション機器としての無線中継局１１０と、バッテリー１０６とが収容されている。また、各ポッド１０５の下面側には離発着時に使用される車輪１０７が設けられている。ソーラパネル１０２で発電された電力はバッテリー１０６に蓄電され、バッテリー１０６から供給される電力により、プロペラ１０３のモータが回転駆動され、無線中継局１１０による無線中継処理が実行される。
【手続補正１０】
【補正対象書類名】明細書
【補正対象項目名】００３３
【補正方法】変更
【補正の内容】
【００３３】
図５は、実施形態の通信システムに用いられるＨＡＰＳ２０の他の例を示す斜視図である。図５のＨＡＰＳ２０は、無人飛行船タイプのＨＡＰＳであり、ペイロードが大きいため大容量のバッテリーを搭載することができる。ＨＡＰＳ２０は、浮力で浮揚するためのヘリウムガス等の気体が充填された飛行船本体２０１と、バス動力系の推進装置としてのモータ駆動のプロペラ２０２と、ミッション機器が収容される機器収容部２０３とを備える。機器収容部２０３の内部には、無線中継局２１０とバッテリー２０４とが収容されている。バッテリー２０４から供給される電力により、プロペラ２０２のモータが回転駆動され、無線中継局２１０による無線中継処理が実行される。